(57)【要約】      （修正有）【課題】輸液等の液体が滞留する死空間の無いコネクタを提供する。【解決手段】コネクタは輸液ラインの途中に接続されて混注に用いられる。流入口２１と流出口２２と接続空間部２３と錐状突起部材２４とを備えるコネクタ本体２と、円盤状部材３１と円柱状部材３２と、混注口３３とを備える可撓性弁体３と、可撓性弁体３をコネクタ本体２に固定するカバー部材４とを備える。可撓性弁体３は円柱状部材３１が注射筒の先端部５により押圧されたときに屈曲して錐状突起部材２４に密着し、錐状突起部材２４は可撓性弁体３に対して間隙を形成する溝部２５を備える。【選択図】図４
2020116339.tif 000002
【特許請求の範囲】
【請求項１】
輸液ラインの途中に接続されて該輸液ラインに対する混注に用いられるコネクタであって、
該輸液ラインから液体が流入する流入口と、液体が該輸液ラインに流出する流出口と、該流入口と該流出口とを接続する接続空間部と、該接続空間部の底面の中央に直立する錐状突起部材とを備えるコネクタ本体と、
円盤状部材と、該円盤状部材の中央に直立する円柱状部材と、該円柱状部材の軸方向に沿って形成され該円柱状部材が注射筒の先端部により該接続空間部方向に押圧されたときに該錐状突起部材が挿入されることにより該接続空間部に連通する混注口とを備える可撓性弁体と、
該可撓性弁体を覆って該コネクタ本体に固定するカバー部材とを備え、
該可撓性弁体は該円柱状部材が注射筒の先端部により該接続空間部方向に押圧されたときに屈曲して該円盤状部材と該円柱状部材との境界部で該錐状突起部材の外周面に密着し、
該錐状突起部材は外周面に軸方向に沿う複数の溝部を備え、該溝部により該円盤状部材と該円柱状部材との境界部に対して間隙を形成することを特徴とするコネクタ。
【請求項２】
請求項１記載のコネクタにおいて、前記可撓性弁体は前記円柱状部材が注射筒の先端部により前記接続空間部方向に押圧されたときに屈曲して前記円盤状部材の一部で該接続空間部の底面の一部に接触し、
該接続空間部の底面は、該円盤状部材の非接触部分と、前記錐状突起部材の外周面の溝部とを連通する複数の凹部を備えることを特徴とするコネクタ。
【発明の詳細な説明】
【技術分野】
【０００１】
本発明は、輸液ラインに対する混注に用いられるコネクタに関する。
【背景技術】
【０００２】
従来、輸液ラインの途中に接続されて該輸液ラインに対する薬液等の混注に用いられるコネクタが知られている（例えば、特許文献１参照）。
【０００３】
前記コネクタは、輸液ラインから輸液等の液体が流入する流入口と、該液体が該輸液ラインに流出する流出口と、該流入口と該流出口とを接続する接続空間部とを備えるコネクタ本体と、コネクタ本体に接続されて輸液ラインに対する混注に用いられる混注路を形成する可撓性の有底筒状部材と、該有底筒状部材を覆って該コネクタ本体に固定するカバー部材とを備える。
【０００４】
前記有底筒状部材は、内部に接続空間部に連通する空洞部を備え、底面が接続空間部から離間する方向に位置するように、倒立状態で前記コネクタ本体に接続される。また、前記有底筒状部材は底面に混注口を備えており、該混注口は混注に用いられる注射筒の先端部により接続空間部方向に押圧されたときに開口して空洞部に連通する。この結果、混注口と空洞部とにより、注射筒から混注される薬液等を接続空間部に案内する混注路が形成される。
【先行技術文献】
【特許文献】
【０００５】
【特許文献１】特開２００４−２０９２７８号公報
【発明の概要】
【発明が解決しようとする課題】
【０００６】
特許文献１に記載の前記コネクタでは、混注を行うとき以外は、輸液ラインから流入口を介して流入した輸液等の液体はそのまま接続空間部から流出口を介して輸液ラインに流出する。
【０００７】
しかしながら、前記空洞部は流入口から流出口に至る液体の流れに影響を受けない死空間となるので、前記輸液等の液体は一旦空洞部に流入するとそのまま該空洞部に滞留することになるという不都合がある。
【０００８】
本発明は、かかる不都合を解消して、前記輸液等の液体が滞留する死空間の無いコネクタを提供することを目的とする。
【課題を解決するための手段】
【０００９】
かかる目的を達成するために、本発明のコネクタは、輸液ラインの途中に接続されて該輸液ラインに対する混注に用いられるコネクタであって、該輸液ラインから液体が流入する流入口と、液体が該輸液ラインに流出する流出口と、該流入口と該流出口とを接続する接続空間部と、該接続空間部の底面の中央に直立する錐状突起部材とを備えるコネクタ本体と、円盤状部材と、該円盤状部材の中央に直立する円柱状部材と、該円柱状部材の軸方向に沿って形成され該円柱状部材が注射筒の先端部により該接続空間部方向に押圧されたときに該錐状突起部材が挿入されることにより該接続空間部に連通する混注口とを備える可撓性弁体と、該可撓性弁体を覆って該コネクタ本体に固定するカバー部材とを備え、該可撓性弁体は該円柱状部材が注射筒の先端部により該接続空間部方向に押圧されたときに屈曲して該円盤状部材と該円柱状部材との境界部で該錐状突起部材の外周面に密着し、該錐状突起部材は外周面に軸方向に沿う複数の溝部を備え、該溝部により該円盤状部材と該円柱状部材との境界部に対して間隙を形成することを特徴とする。
【００１０】
本発明のコネクタでは、前記可撓性弁体が前記円盤状部材と、該円盤状部材の中央に直立する前記円柱状部材とからなるので、該円柱状部材が注射筒の先端部により該接続空間部方向に押圧されていない状態では、前記コネクタ本体の接続空間部との間に、前記輸液等の液体が滞留する死空間となる空洞部を無くすことができる。
【００１１】
また、前記円柱状部材が注射筒の先端部により前記接続空間部方向に押圧されると、前記可撓性弁体は屈曲して前記円盤状部材と該円柱状部材との境界部が前記錐状突起部材の外周面に密着することにより死空間を無くすことができる。一方、前記円盤状部材と前記円柱状部材との境界部が前記円錐状突起部材の外周面に密着すると、前記混注口から供給される薬液等の液体が該接続空間部に流入できなくなることが懸念される。
【００１２】
しかし、本発明のコネクタでは、前記混注口に挿入される前記錐状突起部材が外周面に軸方向に沿う複数の溝部を備え、該溝部により前記円盤状部材と前記円柱状部材との境界部に対して間隙を形成する。そこで、前記混注口から供給される薬液等の液体は、前記錐状突起部材の溝部を介して該接続空間部に流入することができる。
【００１３】
また、本発明のコネクタでは、前述のように前記円柱状部材が注射筒の先端部により前記接続空間部方向に押圧され、前記可撓性弁体が屈曲したときに、前記円盤状部材の一部が前記接続空間部の底面に接触することがある。前記円盤状部材の一部が前記接続空間部の底面に接触すると、錐状突起部材の溝部の出口が該円盤状部材により閉塞され、前記混注口から供給される薬液等の液体が該接続空間部に流入できなくなることが懸念される。
【００１４】
そこで、本発明のコネクタにおいて、前記可撓性弁体は前記円柱状部材が注射筒の先端部により前記接続空間部方向に押圧されたときに屈曲して前記円盤状部材の一部で該接続空間部の底面の一部に接触し、該接続空間部の底面は、該円盤状部材の非接触部分と、前記錐状突起部材の外周面の溝部とを連通する複数の凹部を備えることが好ましい。
【００１５】
本発明のコネクタは、前記接続空間部が底面に前記複数の凹部を備えていることにより、前記可撓性弁体が屈曲して前記円盤状部材の一部で該接続空間部の底面の一部に接触したときには、前記混注口から供給される薬液等の液体は、前記錐状突起部材の溝部から前記接続空間部の底面の凹部を介して該接続空間部に流入することができる。
【図面の簡単な説明】
【００１６】
【図１】本発明のコネクタの一構成例を示す斜視図。
【図２】図１のII-II線断面図。
【図３】図２のIII−III線断面図。
【図４】円柱状部材が注射筒の先端部により接続空間部方向に押圧された状態を示す説明的断面図。
【図５】本発明のコネクタの他の構成例を示す斜視図。
【発明を実施するための形態】
【００１７】
次に、添付の図面を参照しながら本発明の実施の形態についてさらに詳しく説明する。
【００１８】
図１及び図２に示すように、本実施形態のコネクタ１は、図示しない輸液ラインの途中に接続されて該輸液ラインに対する薬液等の混注に用いられる医療用器具であり、円盤状のコネクタ本体２と、可撓性弁体３と、可撓性弁体３を覆ってコネクタ本体２に固定するカバー部材４とからなる。
【００１９】
コネクタ本体２は、図示しない輸液ラインから液体が流入する流入口２１と、該液体が該輸液ラインに流出する流出口２２と、流入口２１と流出口２２とを接続する接続空間部２３とを備えている。流入口２１はコネクタ本体２の側面から円盤の法線方向に形成されており、流出口２２は、流入口２１に対して対称となるコネクタ本体２の側面から円盤の法線方向に形成されている。また、接続空間部２３はコネクタ本体２のほぼ中央に円筒状空間として形成されており、底面の中央部に可撓性弁体３方向に直立する円錐状突起部材２４を備えている。円錐状突起部材２４はその側面に軸方向に沿う複数の溝部２５を備えており、溝部２５は接続空間部２３の底面に形成された凹部２６に連通している。
【００２０】
可撓性弁体３は、接続空間部２３の上部を閉蓋する円盤状部材３１と、円盤状部材３１の中央部に直立する円柱状部材３２とを備えている。円盤状部材３１はコネクタ本体２の外周縁に沿って形成された環状壁部２７の内部に嵌着される一方、円盤状部材３１の底面に接続空間部２３の外周縁に沿って形成された環状突起２８が圧入されている。この結果、円盤状部材３１は、カバー部材４（円盤状カバー部４１）と環状突起２８とにより確実に挟持されている。
【００２１】
また、円柱状部材３２はその軸方向に沿って混注口３３を備えている。混注口３３は、混注に用いられる注射筒の先端部５（図４参照）により接続空間部２３方向に押圧されたときに、円錐状突起部材２４が挿入される。そこで、円盤状部材３１は混注口３３の直下に円錐状突起部材２４を案内する案内凹部３４を備えている。混注口３３は、通常は閉じていて、案内凹部３４に案内された円錐状突起部材２４が挿入される際に接続空間部２３に連通して混注路を形成する。
【００２２】
カバー部材４は、底面を除いて可撓性弁体３を覆っており、円盤状部材３１に対応する円盤状カバー部４１と、円柱状部材３２に対応する円柱状カバー部４２とを備えている。また、円柱状カバー部４２の外周面に注射筒５のロック筒（図示せず）が螺合される雄ねじ部４３を備えている。
【００２３】
また、円盤状カバー部４１は外周縁から垂下するスカート部４４を備え、円盤状カバー部４１の底面に設けられた係合突起４５が円柱状部材３２の上面に設けられた係合凹部に係合される一方、スカート部４４の内周面に形成された環状突起４６が環状壁部２７の外周面に設けられた環状凹部に係合されている。この結果、可撓性弁体３はコネクタ本体２の接続空間部２３を閉蓋する状態でカバー部材４により固定される一方、カバー部材４自体もコネクタ本体２に固定されている。
【００２４】
本実施形態のコネクタ１は、図示しない輸液ラインの途中に接続されたときに、可撓性弁体３の円柱状部材３２が注射筒の先端部５により接続空間部２３方向に押圧されていない状態では、該輸液ラインから流入口２１を介して流入した輸液等の液体は、図３に矢示するように、接続空間部２３内で円錐状突起部材２４の両側を通って流出口２２から該輸液ラインに流出する。このとき、接続空間部２３は、図２に示すように、可撓性弁体３の円盤状部材３１により閉蓋されており、円盤状部材３１と接続空間部２３との間に、前記輸液等の液体が滞留する死空間となる空洞部が無いので前記輸液等の液体を滞留させることなく、前記輸液ラインに流出させることができる。
【００２５】
輸液ラインに接続したコネクタ１を用いて混注を行うときには、図４に示すように、混注する薬液等が収容された注射筒の先端部５を可撓性弁体３の円柱状部材３２に当接し、円柱状部材３２を接続空間部２３方向に押圧する。このようにすると、可撓性弁体３がＷ字状に屈曲する一方、円錐状突起部材２４が混注口３３に挿入されることにより混注口３３が接続空間部２３に連通して混注路を形成する。
【００２６】
このとき、注射筒の先端部５は外周面に円柱状カバー部４２の内周面が密着することにより、円柱状カバー部４２に支持される。また、前記注射筒が先端部５の外周側に設けられた外套筒であって内周面に雌ねじ部が形成されているロック筒（図示せず）を備えるときには、該ロック筒の雌ねじ部を円柱状カバー部４２の外周面に形成された雄ねじ部４３に螺合することができる。前記ロック筒の雌ねじ部を雄ねじ部４３に螺合することにより、注射筒の先端部５により円柱状部材３１を接続空間部２３方向に押圧する動作を容易かつ確実に行うことができる。
【００２７】
そして、注射筒のプランジャーをシリンダーに押し込むことにより、該注射筒に収容されている薬液等が矢示するように該注射筒の先端部５から混注口３３に注入される。
【００２８】
また、可撓性弁体３は前述のように断面視Ｗ字状に屈曲された結果、円盤状部材３１と円柱状部材３２との境界部が、円錐状突起部材２４の外周面に密着している。このとき、円錐状突起部材２４は外周面に軸方向に沿う複数の溝部２５を備えているので、溝部２５により円盤状部材３１と円柱状部材３２との境界部に対して間隙を形成することができる。そこで、混注口３３に注入された薬液等の液体は、円錐状突起部材２４の溝部２５を介して接続空間部２３に流入することができる。
【００２９】
可撓性弁体３は、屈曲して円盤状部材３１と円柱状部材３２との境界部が、円錐状突起部材２４の外周面に密着したときに、図４に示すように、さらに円盤状部材３１の一部が接続空間部２３の底面に接触することがある。円盤状部材３１の一部が接続空間部２３の底面に接触すると、円錐状突起部材２４の溝部２５の出口が円盤状部材３１により閉塞され、混注口３３から供給される薬液等の液体が接続空間部２３に流入できなくなることが懸念される。
【００３０】
しかし、本実施形態のコネクタ１は、接続空間部２３の底面に形成された凹部２６が、円盤状部材３１が接触していない部分（円盤状部材３１の非接触部分）と、円錐状突起部材２４の溝部２５とを連通するようにされていることにより、混注口３３から供給される薬液等の液体が円錐状突起部材２４の溝部２５から接続空間部２３の凹部２６を介して接続空間部２３に流入することができる。
【００３１】
一方、輸液ラインから流入口２１を介して接続空間部２３に流入した輸液等の液体は、屈曲した円盤状部材３１の外周面と接続空間部２３との間に形成された間隙２９を円盤状部材３１の外周面に沿って流れることができ、このとき溝部２５を介して、又は溝部２５から凹部２６を介して接続空間部２３に流入する薬液等の液体と混合され、流出口２２から該輸液ラインに流出する。
【００３２】
従って、本実施形態のコネクタ１では、円盤状部材３１と接続空間部２３との間に、前記輸液等の液体が滞留する死空間となる空洞部が無いので、前記輸液等の液体及び混注口３３から供給される薬液等の液体を滞留させることなく、前記輸液ラインに流出させることができる。
【００３３】
本実施形態のコネクタ１では、カバー部材４はスカート部４４の内周面に形成された環状突起４６が環状壁部２７の外周面に設けられた環状凹部に係合されることによりコネクタ本体２に固定されている。しかし、カバー部材４は、図５に示すようにスカート部４４の下端縁からさらに下方に延出された複数の爪部材４７を備え、爪部材４７をコネクタ本体２の側面及び底面に形成された溝部２０に係合させることによりコネクタ本体２に固定されるようにされていてもよい。
【００３４】
また、本実施形態のコネクタ１では、接続空間部２３の底面の中央部に円錐状突起部材２４を備えているが、円錐状突起部材２４に代えて、三角錐状、四角錐状等の多角錐状の錐状突起部材を備えていてもよい。
【符号の説明】
【００３５】
１…コネクタ、  ２…コネクタ本体、  ３…可撓性弁体、  ４…カバー部材、  ５…注射筒の先端部、  ２１…流入口、  ２２…流出口、  ２３…接続空間部、  ２４…円錐状突起部材、  ２５…溝部、  ２６…凹部、  ３１…円盤状部材、  ３２…円柱状部材、  ３３…混注口。
【図１】
2020116339.tif 000003
【図２】
2020116339.tif 000004
【図３】
2020116339.tif 000005
【図４】
2020116339.tif 000006
【図５】
2020116339.tif 000007